(57)【要約】【課題】高さと幅との間の寸法比を更に小さくすることができる複数のディスク等の容器を提供する。【解決手段】複数のディスク等の容器であって、少なくとも１枚の第１ディスク（Ａ）を収容する第１領域（３）と、少なくとも１枚の第２ディスク（Ｂ）を収容する、第１領域よりも高い位置に配置された第２領域（４）とを画定する２枚のディスク（Ａ、Ｂ）を収容する１つの受入れ部（２）を規定する収容容器本体（１）と、受入れ部（２）内に取り外し可能にディスクを保持するために更に設けられた個々のディスク（Ａ、Ｂ）の中心を保持する手段（５、６）とを備え、１枚の第２ディスク（Ｂ）の中心を保持する手段（５、６）は、高い位置に配置され、１枚の第１ディスクを収容する第１領域のある周縁部上に重ね合わせられ、間隔を開けて配置される。【選択図】図１
2008247478.tif 000002
【特許請求の範囲】
【請求項１】
複数のディスク等の容器であって、
少なくとも１枚の第１ディスクを収容する第１領域と、少なくとも１枚の第２ディスクを収容する、前記第１領域よりも高い位置に配置された第２領域とを画定する、少なくとも２枚のディスクを収容する少なくとも１つの受入れ部を規定する収容容器本体と、
前記受入れ部内に取り外し可能に前記ディスクを保持するために更に設けられた、個々の前記ディスクの中心を保持する手段と、
を備え、前記少なくとも１枚の第２ディスクの中心を保持する手段は、前記高い位置に配置され、前記少なくとも１枚の第１ディスクを収容する前記第１領域の少なくともある周縁部上に重ね合わせられ、間隔を開けて配置されることを特徴とするディスク等の容器。
【請求項２】
前記容器は前記第２領域に、前記第１領域上に重ね合わせられた突出部を備え、該突出部は前記中心保持手段を支持することを特徴とする請求項１に記載の容器。
【請求項３】
前記収容容器本体は、前記突出部で前記第１領域上に空洞部を備えたことを特徴とする請求項１又は２に記載の容器。
【請求項４】
前記第１及び第２ディスクの中心軸の距離は、前記ディスクの半径よりも短いことを特徴とする請求項１から３のいずれかに記載の容器。
【請求項５】
前記容器は前記受入れ部の周縁端部に、前記中心保持手段に係合することができる前記ディスクのセンタリング要素として作用するように構成された勾配部を備えたことを特徴とする請求項１から４のいずれかに記載の容器。
【請求項６】
前記突出部は、前記第２領域に関して弾性的に柔軟であることを特徴とする請求項１から５のいずれかに記載の容器。
【請求項７】
少なくとも１枚の前記第２ディスクの中心を保持する手段は、前記第２領域内の少なくとも周縁部で支持された前記第２ディスクから外すために、押しボタン方式に作動することができることを特徴とする請求項１から６のいずれかに記載の容器。
【請求項８】
少なくとも１枚の前記第２ディスクの中心を保持する手段は、前記第２領域に関して前記突出部を曲げることによって、少なくとも１枚の前記第２ディスクから外れることができることを特徴とする請求項１から７のいずれかに記載の容器。
【発明の詳細な説明】
【技術分野】
【０００１】
本発明は、複数のディスク等の容器に関する。
【背景技術】
【０００２】
参照することによりここに取り入れられたＥＰ第0,676,763号は、複数のディスク、特にＣＤ、ＤＶＤや他の同様な光学的、または磁気読み取り式ディスクの容器を開示している。２枚のディスクを並べて配置することにより生じる古典的な２対１の比率よりも小さくするために、容器の高さと幅との間の比率を変化することができる少なくとも２枚のディスクの容器の提供を可能にしている。
【０００３】
【特許文献１】欧州特許第0,676,763号
【発明の開示】
【発明が解決しようとする課題】
【０００４】
この実施形態は、多くの実用的及び機能的な側面において有効であるが、重ね合わされて配置された２枚のディスクの軸間距離をディスクの半径よりも短くすることによって、高さと幅との間の寸法比を更に小さくすることができる、２枚のディスク間を重複させる可能性に関して更に改良点を受け入れる余地があることが分かる。
【０００５】
本発明の目標は、２枚のディスク間の中心距離を、当該ディスクの半径よりも短い距離まで減らすことができる一方で、ディスクを中心に保持することができる複数のディスク等の容器を提供することによって、上述の問題を解決することである。
【０００６】
この目標内において、本発明の目的は、ディスクを損傷することなく容易に、そして簡単にディスクを取り出すことができる容器を提供することである。
【０００７】
本発明の他の目的は、その固有の構造上の特徴によって、使用中の信頼性及び安全性をより確実にすることができる容器を提供することである。
【０００８】
更に本発明の他の目的は、一般的に商業的に入手可能な要素及び材料から簡単に得ることができ、また単に経済上の観点から競争力がある容器を提供することである。
【課題を解決するための手段】
【０００９】
以下でより明確になるこの目標とこれらの及び他の目的は、複数のディスク等の容器であって、少なくとも１枚の第１ディスクを収容する第１領域と、少なくとも１枚の第２ディスクを収容する、前記第１領域よりも高い位置に配置された第２領域とを画定する、少なくとも２枚のディスクを収容する少なくとも１つの受入れ部を規定する収容容器本体と、前記受入れ部内に取り外し可能に前記ディスクを保持するために更に設けられた、個々の前記ディスクの中心を保持する手段と、を備え、前記少なくとも１枚の第２ディスクの中心を保持する手段は、前記高い位置に配置され、前記少なくとも１枚の第１ディスクを収容する前記第１領域の少なくともある周縁部上に重ね合わせられ、間隔を開けて配置されることを特徴とする容器によって達成される。
【００１０】
本発明の更なる特徴及び優位な点は、好適な実施形態の詳述からより明確になるが、添付図面の中で限定されない例として図示された複数のディスク等の容器の実施形態を除外するものではない。
【発明を実施するための最良の形態】
【００１１】
図面を参照すると、複数のディスク等の容器は収容容器本体を備え、該収容容器本体は全体的に参照番号１により指定されるトレイによって構成され、該トレイはそれ自体が公知の態様で、図示しないジャケットの内側に連結されている。
【００１２】
同様に、図１０の中で参照番号１’により指定される収容容器本体は、閉塞カバーと共に一体的に設けられる従来のケースの一体的な部分であってもよい。
【００１３】
収容容器本体の形は明らかに変更してもよく、ディスク、特にＣＤ、ＤＶＤと光学的及び/又は磁気ディスクの一般的な容器を提供するのに典型的に使用される収容容器本体のいずれか１つによって構成してもよい。
【００１４】
収容容器本体は、全体的に参照番号２により指定される少なくとも１つの受入れ部を規定する。該受入れ部は、２枚のディスクの具体的な例において、実質的に８の字のように形作られており、参照文字Ａにより指定される少なくとも１枚の第１ディスクを収容する少なくとも１つの第１領域３と、第１領域よりも高い位置に配設された、少なくとも１枚の第２ディスクＢを収容する少なくとも１つの第２領域４とを形成している。
【００１５】
それ自体は公知の態様である領域３及び４は中心保持手段を備え、該中心保持手段は、ディスクの中心孔と係合するありふれたハブ５と６とによって、またはディスクの中心孔に作用する、参照番号５’と６’とで指定される弾性力のある中心要素によって任意に構成されている。
【００１６】
もちろん、中心孔と係合するいずれか他の種類の保持手段をも使用することができ、また図８と図９で概略的に示すように、第１及び第２ディスクのために互いに異なる中心保持手段を設けることも可能である。
【００１７】
保持手段５と６とは、取り外し可能にディスクＡ及びＢを受入れ部内に保持するように設計され、それ自体は公知の態様である領域３と４とは、中心支持部８と、ディスクを載置する周縁支持突出リム９とを備えている。
【００１８】
本発明を特徴付ける要素は、第２ディスクの中心保持手段６が突出部１０に配設され、該突出部１０がより高い位置で第２領域内に配置されるので、中心保持手段６は、第１ディスク収容領域の周縁部に関して、重ねられ間隔を開けて配置される、という事実から構成されている。
【００１９】
実際の成形上の理由のために、突出部１０は、第１領域３内に設けられた空洞部１１に配置されている。
【００２０】
この配置によって、２枚のディスクの中心間距離はディスクの半径よりも短く、これによって、任意にディスクの容器の高さと幅との寸法比を小さくすることができる。
【００２１】
他の重要な特徴は、正確な挿入と、受入れ部２によって規定される対応する領域内にディスクの中心を合わせることを容易にするために、収容容器本体はその受入れ部の周縁端に勾配端部１５を備え、該勾配端部１５は、配置に対応する領域に関してある程度、ディスクを押して中心を合わせるという事実によって構成されている。
【００２２】
図面で指摘したように、低い位置に配置された第１領域に形成された勾配端部１５はもちろん、高い位置に配置された第２領域に設けられた勾配端部よりも、はっきり見える。
【００２３】
本発明の他の重要な特徴は、第２ディスクの中心保持手段は従来の態様で設けられるが、図５から図７に明確に示すように、実質的に突出部１０の可撓性を利用することによって、押しボタン方式のように動くことができる、ということにある。
【００２４】
この配置では、中心保持手段６又は６’を押圧することによって、実質的に、むしろ突出部が突出リム９により保持されているディスクに対して撓む。これにより、ハブ、またはいずれか他のそれ自体は公知の解決方法によって構成されている中心保持手段は、実質的にディスクの中心孔から外れ、一旦押圧が終わると、元の位置に戻ることによって突出部はディスクを持ち上げて、簡単に手に取ることができる。
【００２５】
第１ディスクを取り外すために、従来のインデント３０を設けてもよく、該インデント３０により、中心保持手段からディスクを外すための持ち上げる動作を加えるために、ディスクの周縁部に近づくことができる。
【００２６】
上述したことから、本発明は提案された目標及び目的を達成することが明らかであり、特に容器は、ディスクを互いに重ね合わせ、任意に調整でき、いずれの場合にもディスクの半径よりも短い中心間距離を互いにオフセットできるように、２枚のディスクを配置可能に設けられることによって、結果として容器の寸法比を任意に変化することができることを強調している。
【００２７】
本発明の他の重要な特徴は更に、収容容器本体は受入れ部の周縁部に、搬送手段として、また中心保持手段に対するディスクのセンタリング要素として作用する勾配端部を規定して、これにより特に簡単にそして容易にディスクを配置することができるという事実からなる。
【００２８】
更にまた、実質的に第２領域内で一端が飛び出す突出部固有の弾性の優位性によって、構造上の観点から特に複雑になり一般的にはほとんど信頼できない押しボタン式の中心ハブに頼ることなく、押しボタン式に取り外すことができる。
【００２９】
このように着想された本発明は、多くの改良例及び変形例を受け入れる余地があり、これらの全ては添付したクレームの範囲内にある。
【００３０】
全ての詳細は更に、他の技術的に均等な要素に置き換えてもよい。
【００３１】
実質に、使用される材料、条件付き形状、及び寸法は要求により任意である。
【図面の簡単な説明】
【００３２】
【図１】トレイ型をした収容容器本体の斜視図である。
【図２】底面に沿った収容容器本体の斜視図である。
【図３】収容容器本体の平面図である。
【図４】図３のIVーIV線に沿った断面図である。
【図５】２枚のディスクを配設した収容容器本体の縦断面に沿った断面図である。
【図６】押しボタンが、上方に配設されたディスクと係合しない段階の断面図である。
【図７】外れたディスクの断面図である。
【図８】異なる中心保持手段を備えた収容容器本体の平面図である。
【図９】異なる中心保持手段を備えた収容容器本体の平面図である。
【図１０】収容容器本体が直接、ケースに設けられた実施形態の図である。
【符号の説明】
【００３３】
１  トレイ
２  受入れ部
３  第１領域
４  第２領域
９  周縁支持突出リム
１０  突出部
１１  空洞部
１５  勾配端部
【図１】
2008247478.tif 000003
【図２】
2008247478.tif 000004
【図３】
2008247478.tif 000005
【図４】
2008247478.tif 000006
【図５】
2008247478.tif 000007
【図６】
2008247478.tif 000008
【図７】
2008247478.tif 000009
【図８】
2008247478.tif 000010
【図９】
2008247478.tif 000011
【図１０】
2008247478.tif 000012
【外国語明細書】
2008247478.tif 000013
2008247478.tif 000014
2008247478.tif 000015
2008247478.tif 000016
2008247478.tif 000017
2008247478.tif 000018
2008247478.tif 000019
2008247478.tif 000020
2008247478.tif 000021
2008247478.tif 000022
2008247478.tif 000023
2008247478.tif 000024
2008247478.tif 000025
2008247478.tif 000026
2008247478.tif 000027
2008247478.tif 000028